【手続補正書】
【提出日】平成21年11月5日(2009.11.5)
【手続補正１】
【補正対象書類名】特許請求の範囲
【補正対象項目名】全文
【補正方法】変更
【補正の内容】
【特許請求の範囲】
【請求項１】
内側表面とマスクが付着していない外側表面とを有する塗料皮膜、及び塗料皮膜の内側表面に付与された裏シートを含む、部品に化粧仕上げを与えるための加工の後に光沢及び像の明瞭性の保持を高めた化粧塗料皮膜ラミネートであって、塗料皮膜は、透明塗膜層、光沢及び像の明瞭性を保持する層、及び色塗膜層を含み、光沢及び像の明瞭性を保持する層は、加工中に透明塗膜層の引張り強さと色塗膜層の引張り強さのうちの高い方の引張り強さと同じか又はそれより高い引張り強さを有することを特徴とする化粧塗料皮膜ラミネート。
【請求項２】
加工が、二次成形及び一次成形からなる群から選択されることを特徴とする請求項１に記載の化粧塗料皮膜ラミネート。
【請求項３】
二次成形が、熱成形温度での熱成形であることを特徴とする請求項２に記載の化粧塗料皮膜ラミネート。
【請求項４】
光沢及び像の明瞭性を保持する層が、熱成形温度での透明塗膜層の引張り強さと色塗膜層の引張り強さのうちの高い方の引張り強さと同じか又はそれより高い引張り強さを有することを特徴とする請求項３に記載の化粧塗料皮膜ラミネート。
【請求項５】
光沢及び像の明瞭性を保持する層が、熱成形温度での透明塗膜層の引張り強さと色塗膜層の引張り強さのうちの高い方の引張り強さより高い引張り強さを有することを特徴とする請求項４に記載の化粧塗料皮膜ラミネート。
【請求項６】
光沢及び像の明瞭性を保持する層が、流延されるか又は塗布されることを特徴とする請求項１に記載の化粧塗料皮膜ラミネート。
【請求項７】
光沢及び像の明瞭性を保持する層が、ウレタン、アクリル、フルオロポリマー、ナイロン、それらのアロイ、及びそれらの組合せからなる群から選択されるポリマーを含むことを特徴とする請求項１に記載の化粧塗料皮膜ラミネート。
【請求項８】
ウレタンがポリウレタンであることを特徴とする請求項７に記載の化粧塗料皮膜ラミネート。
【請求項９】
光沢及び像の明瞭性を保持する層が、塗料皮膜の透明塗膜層と色塗膜層の間に存在することを特徴とする請求項１に記載の化粧塗料皮膜ラミネート。
【請求項１０】
塗料皮膜が色調整層をさらに含むことを特徴とする請求項１に記載の化粧塗料皮膜ラミネート。
【請求項１１】
色調整層が、光沢及び像の明瞭性を保持する層と色塗膜層の間に存在することを特徴とする請求項１０に記載の化粧塗料皮膜ラミネート。
【請求項１２】
部品が自動車の部品であることを特徴とする請求項１に記載の化粧塗料皮膜ラミネート。
【請求項１３】
光沢及び像の明瞭性を保持する層が、約０．２ミル〜約２．０ミルの厚さであることを特徴とする請求項１に記載の化粧塗料皮膜ラミネート。
【請求項１４】
光沢及び像の明瞭性を保持する層が架橋剤をさらに含むことを特徴とする請求項１に記載の化粧塗料皮膜ラミネート。
【請求項１５】
架橋剤が、ポリアジリジン、ポリイソシアネート、ブロックトポリイソシアネート、及びアミノ架橋剤からなる群から選択されることを特徴とする請求項１４に記載の化粧塗料皮膜ラミネート。
【請求項１６】
架橋剤が約０．１〜約４．０重量％の量で存在することを特徴とする請求項１４に記載の化粧塗料皮膜ラミネート。
【請求項１７】
プライマー層をさらに含むことを特徴とする請求項１に記載の化粧塗料皮膜ラミネート。
【請求項１８】
接着剤層をさらに含むことを特徴とする請求項１に記載の化粧塗料皮膜ラミネート。
【請求項１９】
透明塗膜層、光沢及び像の明瞭性を保持する層、及び色塗膜層を含む、熱成形温度で熱成形可能な塗料皮膜であって、
光沢及び像の明瞭性を保持する層は、熱成形温度での透明塗膜層の引張り強さと色塗膜層の引張り強さのうちの高い方の引張り強さと同じか又はそれより高い引張り強さを有することを特徴とする塗料皮膜。
【請求項２０】
光沢及び像の明瞭性を保持する層の引張り強さが、熱成形温度での透明塗膜層の引張り強さと色塗膜層の引張り強さのうちの高い方の引張り強さより高いことを特徴とする請求項１９に記載の塗料皮膜。
【請求項２１】
マスクが付着していない透明塗膜層、光沢及び像の明瞭性を保持する層、及び色塗膜層を含む塗料皮膜であって、光沢及び像の明瞭性を保持する層が、ウレタン、アクリル、フルオロポリマー、ナイロン、それらのアロイ、及びそれらの組合せからなる群から選択されるポリマーを含み、光沢及び像の明瞭性を保持する層が、加工中に透明塗膜層の引張り強さと色塗膜層の引張り強さのうちの高い方の引張り強さと同じか又はそれより高い引張り強さを有することを特徴とする塗料皮膜。
【請求項２２】
支持体、及び化粧塗料皮膜ラミネートを含む、複合造形部品であって、化粧塗料皮膜ラミネートが、透明塗膜層、光沢及び像の明瞭性を保持する層、及び色塗膜層からなる塗料皮膜を含み、塗料皮膜が、内側表面及び外側表面を有し、塗料皮膜の内側表面に裏シートが付与されており、塗料皮膜の外側表面にマスクがなく、光沢及び像の明瞭性を保持する層が、加工中に透明塗膜層の引張り強さと色塗膜層の引張り強さのうちの高い方の引張り強さと同じか又はそれより高い引張り強さを有することを特徴とする複合造形部品。
【請求項２３】
塗料皮膜が熱成形温度で熱成形可能であることを特徴とする請求項２２に記載の複合造形部品。
【請求項２４】
光沢及び像の明瞭性を保持する層が、熱成形温度での透明塗膜層の引張り強さと色塗膜層の引張り強さのうちの高い方の引張り強さと同じか又はそれより高い引張り強さを有することを特徴とする請求項２３に記載の複合造形部品。
【請求項２５】
光沢及び像の明瞭性を保持する層が、熱成形温度での透明塗膜層の引張り強さと色塗膜層の引張り強さのうちの高い方の引張り強さより高い引張り強さを有することを特徴とする請求項２４に記載の複合造形部品。
【請求項２６】
光沢及び像の明瞭性を保持する層が、流延されるか又は塗布されることを特徴とする請求項２２に記載の複合造形部品。
【請求項２７】
光沢及び像の明瞭性を保持する層が、ウレタン、アクリル、フルオロポリマー、ナイロン、それらのアロイ、及びそれらの組合せからなる群から選択されるポリマーを含むことを特徴とする請求項２２に記載の複合造形部品。
【請求項２８】
ウレタンがポリウレタンであることを特徴とする請求項２７に記載の複合造形部品。
【請求項２９】
光沢及び像の明瞭性を保持する層が、塗料皮膜の透明塗膜層と色塗膜層の間に存在することを特徴とする請求項２２に記載の複合造形部品。
【請求項３０】
塗料皮膜が色調整層をさらに含むことを特徴とする請求項２２に記載の複合造形部品。
【請求項３１】
色調整層が、光沢及び像の明瞭性を保持する層と色塗膜層の間に存在することを特徴とする請求項３０に記載の複合造形部品。
【請求項３２】
複合造形部品が自動車の部品であることを特徴とする請求項２２に記載の複合造形部品。
【請求項３３】
光沢及び像の明瞭性を保持する層が、約０．２ミル〜約２．０ミルの厚さであることを特徴とする請求項２２に記載の複合造形部品。
【請求項３４】
光沢及び像の明瞭性を保持する層が架橋剤をさらに含むことを特徴とする請求項２２に記載の複合造形部品。
【請求項３５】
架橋剤が、ポリアジリジン、ポリイソシアネート、ブロックトポリイソシアネート、及びアミノ架橋剤からなる群から選択されることを特徴とする請求項３４に記載の複合造形部品。
【請求項３６】
架橋剤が約０．１〜約４．０重量％の量で存在することを特徴とする請求項３４に記載の複合造形部品。
【請求項３７】
プライマー層をさらに含むことを特徴とする請求項２２に記載の複合造形部品。
【請求項３８】
接着剤層をさらに含むことを特徴とする請求項２２に記載の複合造形部品。
【請求項３９】
部品に化粧仕上げを与えるための加工の後に高い光沢及び像の明瞭性を有する化粧塗料皮膜ラミネートを製造する方法であって、以下のことを含む方法：
熱成形温度で熱成形可能な塗料皮膜を得ること、但し、塗料皮膜が内側表面と外側表面を有し、塗料皮膜が、外側表面としての透明塗膜層、色塗膜層、及び透明塗膜層と色塗膜層の間の光沢及び像の明瞭性を保持する層を含み、光沢及び像の明瞭性を保持する層が、熱成形温度での透明塗膜層の引張り強さと色塗膜層の引張り強さのうちの高い方の引張り強さより高い引張り強さを有する、及び
塗料皮膜の内側表面に裏シートを付与すること。
【請求項４０】
透明塗膜層が、約０．３ミル〜約３ミルの厚さであることを特徴とする請求項１に記載の化粧塗料皮膜ラミネート。